(57)【特許請求の範囲】
【請求項１】
容器の上部に捕集管と結合されるように捕集管結合部が形成される反応容器と；
中間連結部、逆Ｕ字管、及び捕集管蓋で構成される捕集管と；を含み、
上記中間連結部は、管形状を有する管部と、上記管部の内面から内側に延長される水平部と、上記水平部の中央に形成された開口部と、上記開口部の内側端部から上向きに垂直に延長されたチューブとを含み、反応容器の上部と結合可能になるように、上記管部の下部に反応容器結合部が形成され、上部には外側と内側にそれぞれ逆Ｕ字管結合部と捕集管蓋結合部が形成され、上記反応容器で発生した気体が上記逆Ｕ字管に移動できるようにチューブが形成され、
上記逆Ｕ字管は、下端部に上記チューブを囲んで上記水平部の上側の逆Ｕ字管結合部に結合されるように結合部が形成され、上記結合部の上側に複数の孔が形成され、
上記捕集管蓋は上記逆Ｕ字管を囲むように上記中間連結部の捕集管蓋結合部と結合され、上部には気体が通過できるガス排出口が形成され、
上記逆Ｕ字管及び捕集管蓋は、上記反応容器内の試料を加熱分解して発生する気体をその内に収容して空冷及び凝縮して捕集することを特徴とする試料分解容器。
【請求項２】
上記反応容器の材質は、テフロン（登録商標）、石英及びセラミックスの中のいずれか一つであることを特徴とする請求項１に記載の試料分解容器。
【請求項３】
上記中間連結部と上記反応容器との結合、上記中間連結部と上記逆Ｕ字管及び上記中間連結部と上記捕集管蓋の結合がねじ結合であることを特徴とする請求項１または２に記載の試料分解容器。
【請求項４】
上記反応容器は上記中間連結部の管部内側にねじ結合され、
上記反応容器は上記中間連結部とねじ結合されるねじ結合部で上向きに延長された結合突出部を備え、
上記中間連結部はねじ結合の上側に結合突出部と対応して結合される結合溝を含み、
上記結合突出部が上記結合溝に挿入され、
上記結合突出部と上記結合溝との間にはＯリングが介在されていることを特徴とする請求項３に記載の試料分解容器。
【請求項５】
請求項１〜４の中の何れか一項に記載の試料分解容器を利用して試料分解する方法において、
上記反応容器に試料と試料分解溶液を収容する段階と；
上記反応容器と上記捕集管を結合し、上記捕集管内には吸収溶液を収容する段階と；
上記試料分解容器を加熱板の上に置いて加熱する段階と；
上記試料が反応容器で気化されて捕集管内に移動し、上記捕集管で空冷によって凝縮され、凝縮された溶液は上記反応容器の圧力の降下で再び反応容器に移動することを繰り返すことによって試料が分解される段階と；を含むことを特徴とする試料分解方法。
【請求項６】
上記反応容器に試料を入れて、５００℃〜６００℃で加熱して試料をアッシングする試料アッシング段階を先行することを特徴とする請求項５に記載の試料分解方法。
【発明の詳細な説明】
【技術分野】
【０００１】
本発明はフッ素樹脂（以下テフロン（登録商標）と称する）という素材を利用して、化学実験室で固体または液体試料を多様な種類の酸に分解するための試料分解容器に関する。さらに具体的には、下部に位置した反応容器に加えられる加熱分解と、上部に位置した捕集管で空冷による熱い気体の凝縮で、分解中に揮発される重金属の損失を防止し、用いられる試薬の使用を低減し、かつ、分解時間の短縮を図るために考案されたテフロン（登録商標）試料分解容器に関する。
【背景技術】
【０００２】
近１００年間、化学実験室で一般的に用いられる試料分解方法はビーカーと時計皿による試料分解であった。ビーカーによる試料分解は簡単に分解できるという長所はあるが、オープンされた上部から水銀、砒素等の揮発元素の損失と、加熱による試薬の気化で試薬の使用量が多かった。また、発生する有毒ガスは加熱器の本体の損傷及びヒュームフードの寿命を短縮させる原因になる。
【０００３】
もう一つの方法として、２５０ｍｌの丸底フラスコに２５ｃｍ以上の大きさに製作された冷却管を載置し、またその上に吸水管を設置して試料を酸分解する方法である。冷却管は水で冷却させる水冷で、別途の電気冷却機械装置（ｃｈｉｌｌｅｒ）が必要である。このような方法は、装備の長さが非常に大きくて一般のフードに置いて使用することが困難であり、分解後、容器の洗浄も大変である。また、一度に試料処理数も約五つに制限されていて、分解する試料が多い所では適合しない。本方法の製品の技術的面でも反応容器で気化された気体は水冷冷却管で多すぎる気体が凝縮されて落ちるので過量の酸の蒸発が要求される場合には使用することができない。そして、水冷冷却管の存在で捕集管の元々の役割は微々な水準である。即ち反応容器で気化された気体は冷却管によって再び反応容器に大部分落ちて吸水管に上がることができないため、反応容器と吸水管の相互間に大きな関連がない。
【０００４】
最近には、マイクロ波による試料分解法を多く使用している。しかし、マイクロ波は分解の時、圧力分解をするので試料の注入量が制限されていた。通常、有機物の場合に、０．５ｇ以上分解することができない。さらに、本方法は試料の前処理過程が複雑である。
【先行技術文献】
【特許文献】
【０００５】
【非特許文献１】国内土壌公定試験法  亜鉛、ニッケルの前処理図面参照
【非特許文献２】ＵＳ  ＥＰＡ  Ｍｅｔｈｏｄ  ３０１５、３０５１、３０５２
【発明の概要】
【発明が解決しようとする課題】
【０００６】
本発明は上記の問題点を解決するために、テフロン（登録商標）材質の反応容器とその上部に位置した捕集管を使用して、加熱分解の中に発生する有害ガスの捕集、揮発元素の損失防止、分解に必要な試薬の最小使用及び分解時間の短縮、圧力分解への簡単な転換に目的がある。本発明は上記の問題点を解決するための試料分解容器及びこれを利用した試料分解方法を提供することをその目的とする。
【課題を解決するための手段】
【０００７】
本発明は上記のような目的を達するために、試料分解容器は容器の上部に捕集管結合部７が形成された反応容器１と捕集管２とで構成され、上記捕集管２は上記反応容器１の上部と結合可能に、下部に反応容器結合部１０が形成され、上部には外側と内側にそれぞれ逆Ｕ字管結合部１３と捕集管蓋結合部１６が形成され、反応容器１で発生した気体が通過できるようにチューブ１４が形成された中間管３、逆Ｕ字状に形成され、上記逆Ｕ字状の下部に上記中間管３の上部内側の逆Ｕ字管結合部１３と結合され、中間管結合部１７の上側に一定の大きさの孔１８が形成される逆Ｕ字管４、及び上記逆Ｕ字管を囲むように上記中間管３の上部外側の捕集管蓋結合部１６と結合され、上部には気体が通過できるガス排出口２０が形成された捕集管蓋５で構成されることを特徴とする。この場合、反応容器の材質はテフロン（登録商標）、石英及びセラミックスの中のいずれか一つであり、上記捕集管２はテフロン（登録商標）材質からなる。
【０００８】
上記中間管３と上記反応容器１との結合、上記中間管３と上記逆Ｕ字管４、及び上記中間管３と上記捕集管蓋５との結合はねじ結合で形成されることができ、上記反応容器１にはねじ結合の末端に延長されて形成された結合突出部９を有し、上記中間管３はねじ結合の上側に上記結合突出部と対応して結合される結合溝１１を含み、上記結合突出部９と上記結合溝１１との間にはＯリングを挿入して密閉力を高めるように構成することを特徴とする。
【０００９】
試料を分解する方法は、上記試料分解容器を利用するが、試料及び試料分解溶液収容段階Ｓ２０では、上記反応容器に試料と試料分解溶液を収容し、吸収溶液収容段階Ｓ３０では、上記反応容器と上記捕集管を結合し、上記捕集管には吸収溶液を収容し、加熱段階Ｓ４０では、上記試料分解容器を加熱板の上に載せて加熱し、試料分解段階Ｓ５０では、試料が反応容器で気化されて捕集管に移動し、捕集管で空冷によって凝縮され、凝縮された溶液は反応容器の圧力の降下で再び反応容器に移動することを繰り返すことによって試料が分解されることを特徴とする。乾式アッシング法による試料の分解の時には、上記反応容器１は石英またはセラミックス材質からなり、上記反応容器１に試料を入れて、５００℃乃至６００℃に加熱して試料をアッシングする試料アッシング段階Ｓ１０を先行することを特徴とする。また、圧力分解が必要な場合には、テフロン（登録商標）材質の反応容器１に試料と試料分解溶液を収容し、上記捕集管２の代りにテフロン（登録商標）圧力蓋６を結合して圧力分解することができる。
【発明の効果】
【００１０】
本発明は反応容器１をテフロン（登録商標）材質に選択した時に、フッ酸（ＨＦ）を使用することができ、石英材質に選択した時には、乾式アッシング法＜食品医薬品安全庁の食品公典による分解法＞で分解することができる。
【００１１】
捕集管２の空冷凝縮の效果で、分解の時に試料の量に対して必要な試薬使用を最小化することができて、試薬の購買費用を低減することができ、このような空冷凝縮の效果及び捕集管２に予め入れて置いた吸収溶液（０．５モール硝酸や過マンガン酸カリウム溶液または金標準溶液５ｐｐｍを６ｍｌ〜１５ｍｌ程度）を使用することによって揮発元素（水銀、砒素、鉛、セレニウム、錫、アンチモンなど）の捕集を図って揮発元素の損失なしにより良いデータを得ることができる。また捕集管２の空冷凝縮效果で、有害ガスの排出を最小化し、ヒュームフードの腐食や加熱板本体の腐食を防止して機器の使用寿命を延長することができる。同時に、ＮＯｘ、ＣＯｘ、ＳＯｘなどを分解する時に発生する有害ガスの排出から大気環境の汚染防止效果を期待することができる。
【００１２】
捕集管２をテフロン（登録商標）圧力蓋６に簡単に取り替えて圧力分解に切り替えて使用することができる。韓国「海洋環境汚染公定試験法」で提示する海底堆積物の試料分解方法として本発明品であるテフロン（登録商標）材質の反応容器１と圧力蓋６を使用することができる。
【００１３】
実際の分析において、分解した後、過量の酸が分解が終わった溶液に存在する場合、分析器機や分析結果に良くないため（分析器機の腐食及びマットレス妨害）、分解された溶液の中に存在する過量の酸を加熱蒸発する場合に、課題解決手段で詳しく説明したように省エネルギーを実現することができ、加熱板及びヒュームフードの腐食防止や大気環境の汚染を減らすことができる。    
【００１４】
「国内土壌公定試験法」で提示する土壌中の亜鉛、ニッケルの前処理方法で本発明を使用すると、一度に大量の試料を処理することができ、従来の方法に比べて実験室の空間を確保することができる。即ち、本発明は専用加熱ブロック（ｈｏｔ  ｂｌｏｃｋ）に差し込んで分解することができ、実験室で一般的に使用するホットプレート（ｈｏｔ  ｐｌａｔｅ）に載せて使用することができるので、化学実験室で安価で汎用的に使用することができる。特に高価の外国製試料分解装備の輸入抑制效果を期待することができる。
【００１５】
最後に、テフロン（登録商標）容器は、一般のプラスチックに比べて使用温度が高く（テフロン（登録商標）連続使用温度２６０℃）、酸に強く、硝子容器に比べて割れる虞がないので廃棄されることが少なくて廃棄物による環境汚染を減らすことができる。
【図面の簡単な説明】
【００１６】
【図１】本発明による試料分解容器を組立てた全体の断面図。
【図２】反応容器の正面図。
【図３】中間管の断面図。
【図４】逆Ｕ字管の正面図。
【図５】捕集管蓋の正面図。
【図６】テフロン（登録商標）圧力蓋の断面図。
【図７】本発明による試料分解容器を組立てる前の全体の正面図及び圧力分解容器の正面図。
【図８】本発明による試料分解容器を利用した試料分解方法のブロック図。
【図９】試料アッシング段階を含む場合における試料分解方法のブロック図。
【発明を実施するための形態】
【００１７】
本発明は、まず反応容器１の材料の選択面でテフロン（登録商標）と石英またはセラミックス材質を使用することができる。テフロン（登録商標）材質を使用する場合に様々なテフロン（登録商標）材質の中で選択することができるが、射出成形が可能なＰＦＡ（パーフルオロアルコキシ）を選択することが好ましい。射出成形はテフロン（登録商標）原材料を加熱して溶かして金型に成形することで、圧出式成形に比べて表面がきれいで、水銀などの重金属が容器の内部に完全に吸着されないので、分解した後、洗浄が非常に容易である長所がある。テフロン（登録商標）は連続使用温度が２６０℃で、大部分の試料の分解に適合する。
【００１８】
石英の場合には、乾式アッシング法で、分解の時、５００℃〜６００℃の高温でアッシングさせる場合に、テフロン（登録商標）よりさらに高い温度で使用可能であるので、この場合には石英で反応容器を製作して分解容器として使用することができる。
【００１９】
本発明による試料分解容器は、反応容器１と、その上部に位置した捕集管２とを含む。上記捕集管２はさらに中間管３、逆Ｕ字管４、吸水管蓋５からなる。
【００２０】
中間管３は、下は反応容器１と連結され、上は逆Ｕ字管４と吸水管蓋５とに連結される。中間管と反応容器の結合手段としては、多様な方法を選択することができる。各種の結合方式の中でねじ結合にして漏水を防止し、かつ、分解の中に発生する若干の反応圧力ガスが排出されることを防止することが好ましい。この時、ねじ結合は鋸歯ねじ結合を採択して、反応容器の内部の高い反応圧力をよりよく耐えるように設計することができる。また別途のＯリング（Ｏ−ｒｉｎｇ）を形成して結合部位に挿入して漏水を防止し、高い密閉力を保持することができる。中間管３と逆Ｕ字管４の結合は多様な結合形態の中で選択可能であるが、ねじ結合を選択することが好ましい。この時にも漏水があってはならないので、逆Ｕ字管４を挿入する前にＯリング（Ｏ−ｒｉｎｇ）を挿入して漏水を防止することができる。中間管３と連結される捕集管蓋５もその結合をねじ結合にして中間管３に結合される部分に結合溝１２を形成して回して嵌め込みながら完全に密閉する。この時、漏水が予想される場合には、まずＯリング（Ｏ−ｒｉｎｇ）を挿入して結合する。
【００２１】
中間管３は、内径２ｍｍ〜２０ｍｍ、長さ１０ｍｍ〜１００ｍｍのチューブ１４があるため、凝縮液の逆流を防止したり、気化ガスが捕集管２の内部によく入るように誘導する。また、中間管３の外部には反応容器１や捕集管蓋５と結合し、かつ、分離する時、手から滑らないように凹凸部１５を形成する。
【００２２】
逆Ｕ字管４の下部（ねじ山の直上に）には内径１ｍｍ〜５ｍｍの孔１８が２〜１０個穿孔されて気化ガスの排出を誘導する。上記孔１８を通じて排出した熱い気体は捕集管２の外部の空冷によって気体凝縮が発生し、既存の吸収溶液（０．５モール硝酸や過マンガン酸カリウム溶液または金標準溶液５ｐｐｍを６ｍｌ〜１５ｍｌ程度）と会って揮発元素の吸着を図る。
【００２３】
捕集管蓋５は上部に２ｍｍ〜２０ｍｍの内径になるようにガス排出口２０を形成して気化ガスの排出を誘導する。このガス排出口２０を通じて捕集管２の内部にピペットを利用した吸収溶液（０．５モール硝酸や過マンガン酸カリウム溶液または金標準溶液５ｐｐｍを６ｍｌ〜１５ｍｌ程度）を入れて揮発元素である水銀（Ｈｇ）の捕集を目的に使用することができる。またガス排出口２０は、分解後空冷で凝縮された溶液や吸収溶液を排水する役割を果たす。
【００２４】
本発明の各構成は、金型を製作する時表面加工を精密にして、各構成品の表面を最大限に滑らかに処理することによって汚染物質が内部に付かないように設計された。
【００２５】
本発明を使用するにおいて、まず反応容器１と捕集管２に結合されたテフロン（登録商標）分解容器は加熱板や加熱ブロックで加熱分解する。試料が有機物である場合、分解できる量は、乾燥された試料を基準に最大２ｇ〜３ｇを分解することができ、用いられる酸を試料の特性に合わせて単一酸や混合酸を選択して約２０ｍｌ〜２５ｍｌ取って試料とともに入れる。加熱分解が始まると、従来のビーカー分解方式と異なって、上部捕集管２で空冷凝縮が発生し、同時に反応容器１では試薬が蒸発して反応圧力が降下しながら捕集管２の凝縮液が再び反応容器１に落ちて最初に注入された試薬のみでも完全に分解することができる。
【００２６】
分解温度の設定は、最初のＮＯｘ、ＣＯｘなどの有毒ガスが約８０℃から９０℃で発生し始まると、その温度を約２０分〜４０分間保持し、その後、試料の特性によって自由に温度を設定することができる。最初に低温で徐徐に分解する理由は、急に高温で加熱されることによって発生する反応圧力の急上昇を防止するためである。本発明の反応容器１と中間管３の結合はこのような反応圧力にも耐えることができるように、鋸歯ねじ結合を採択することができ、同時に反応容器１と中間管３を回して嵌めながら、中間管の下部の結合溝１１と反応容器１の捕集管結合部７の直上に結合突出部９が結合されて、完全に密閉されるように設計された。一般の嵌め込み式結合方式を採用すると、反応圧力に耐えられなくて気体の漏水や反応容器１と中間管３の離脱または爆発の危険がある。
【００２７】
温度の設定において、揮発元素は温度に非常に敏感であるので、正確な温度のコントロールが必要である。反応容器１に、約２００℃〜２５０℃で加熱する時に、捕集管２の温度は約５０℃〜７０℃程度に測定される。これは捕集管２の外部の空冷で温度の上昇を防止するからである。水銀（Ｈｇ）の場合９０℃、砒素化合物（ＡｓＣｌ）の場合１３０℃以上で揮発されるので、捕集管２の外部の空冷の役割は大きい。
【００２８】
また、反応容器１の加熱と捕集管２の空冷によって試薬は気化と凝縮現象が発生し、反応容器１の内部に試薬が全部気化されると、反応容器１の内部の反応圧力が降下する。そして、吸水管２に凝縮された液体が再び反応容器１で落ちて再び試料の分解に必要な試薬として作用する。一般のビーカーでは試薬をさらに注入する必要があるが、本発明では試薬を追加注入する必要がない。結局、これは試薬の過量な使用で試薬の濃縮による試料の汚染を防止し、かつ、実験室の運用費用の低減效果を期待することができる。
【００２９】
使用者の目的によっては、分解過程において、過量の酸を蒸発しようとする場合もある。この時には、捕集管蓋５のガス排出口２０を密閉させて反応容器１と捕集管２を分離して捕集管２の内部の凝縮液をガス排出口２０を通じて廃水筒に廃棄することによって、一般のビーカーのように加熱蒸発過程で電気エネルギーの消耗、有毒ガスの排出による加熱板の腐食及びヒュームフードの損傷を防止することができる。
【００３０】
反応容器１と結合された捕集管２をテフロン（登録商標）圧力蓋６に取り替えると、約７５ｐｓｉの低圧力で分解することができる。この時にも、蓋はねじ結合と結合溝を構成し、反応の時発生する反応圧力に耐えるように設計する。また、圧力分解をするものであるので取っ手の部分に凹凸部２２を形成して開閉しやすく設計する。
【００３１】
本発明で分解の時発生する気体の流れは、まず反応容器１で生成された熱い気体が中間管３のチューブ１４を経て逆Ｕ字管４の下部の孔１８を通過し、同時に吸収溶液（０．５モール硝酸や過マンガン酸カリウム溶液または金標準溶液５ｐｐｍを６ｍｌ〜１５ｍｌ程度）を通過しながら捕集現象が発生し、冷却が始まる。（熱い気体は反応圧力とガスの生成で吸収溶液を通過する時空気滴を形成しながら通過される）吸収溶液を通過した気体は捕集管蓋５の外部で加えられる空冷で温度の偏差が発生して凝縮され、余分の気体は捕集管蓋５のガス排出口２０から排出される。このように本発明品の気体の流れは別途のテフロン（登録商標）圧力蓋６を使用しない限り密閉式ではない。従って試料を分解する時、微量の元素を含んで多量の試料を入れて分解しなければならない場合に、本発明による試料分解容器及び試料分解方法を使用すると試料量を最大２ｇ〜３ｇまで分解することができる。
【００３２】
本発明はテフロン（登録商標）反応容器１に約０．５ｇ〜３ｇの試料を入れて一定量の硝酸、塩酸、硫酸、過塩素酸、過酸化水素、フッ酸、リン酸等を単独または混合して入れる。また、中間管３と逆Ｕ字管４、捕集管蓋５で構成された捕集管２には、使用者の選択によって吸収溶液（蒸溜水、希硝酸、過マンガンカリウム溶液、金標準溶液５ｐｐｍを約１５ｍｌ程度）を実験実用ピペットを利用して捕集管蓋５のガス排出口２０を通じて入れる。それから反応容器１と捕集管２を互いに連結し、加熱板に載せたり、専用加熱ブロックに差し込んで加熱する。通常、ホットプレート式加熱器よりはブロックタイプの専用加熱器を使えば分解時間をより短縮することができる。分解温度の設定は試料の種類と国内外の分解法に合わせて分解することができる。
【００３３】
国内「水質公定試験法」や「アメリカ環境庁」で提示する水質試料の分解の場合には、９０℃〜１４０℃の内外に温度を設定して酸分解する。
【００３４】
「食品公典」では乾式アッシング法で提示しているので反応容器１をテフロン（登録商標）ではない石英反応容器に取り替えて高温でアッシングさせた後硝酸で仕上げ処理する。
【００３５】
土壌試料の場合、韓国「土壌汚染公定試験法」に提示した１モール塩酸による溶出とニッケル、亜鉛、水銀、砒素の前処理方法で、本発明品を応用して使用することができる。ニッケル、亜鉛を分解する時、上記捕集管２に０．５モールの希硝酸１５ｍｌ入れて、温度約８０℃〜１８０℃まで徐徐に加熱して、約２時間後に冷凍させた後分析する。（有機物が多い土壌（有機物含有１０％以上）、特に済州島土壌の場合には、泡が発生する時硝酸を数滴注入する。）この時反応容器１の冷却で反応圧力が下降しながら捕集管２の溶液は自動に反応容器に落ち、反応容器１に集められた分解された液を分析溶液として使用する。水銀の場合には、反応容器と吸水管に過マンガン酸カリウム溶液を約６ｍｌ〜１５ｍｌを入れて分解する。
「海洋環境汚染公定試験法」で提示した海底堆積物や海洋廃棄物は上部の捕集管２の代りにテフロン（登録商標）圧力蓋６に取り替えてまず硝酸で４０分間分解した後、蓋を閉めて圧力分解に用いる。
【００３６】
試料の蒸発において、過量の酸を蒸発させた場合には、まず捕集管蓋５のガス排出口を密閉させた後反応容器１と捕集管２を分離して捕集管２に積もった凝縮液をガス排出口２０を通じて廃水筒に直接捨てることができる。この時、蒸発の時の温度は約２３０℃〜２６０℃に加熱するとより速かに蒸発が発生する。
【００３７】
本発明品の洗浄は、四つの組み立てで構成された各部分を分離した後、中性洗剤できれいに洗浄した後に蒸溜水：硝酸：塩酸の割合を８：１：１の割合で溶液に入れて酸洗浄する。
【００３８】
超音波洗浄のみ使用する方法は避けるべきであり、必ず酸洗浄を含まれなければならない。硝酸、塩酸で洗浄する理由は、元素によって酸に洗浄される（溶出される）のが異なるからである。洗浄した後、乾燥器で乾燥する時、各構成品が汚染されないようにする。乾燥の後には、四つの構成品を組立てて密閉された空間に保管する。
【図１】
0005723269.tif 000002
【図２】
0005723269.tif 000003
【図３】
0005723269.tif 000004
【図４】
0005723269.tif 000005
【図５】
0005723269.tif 000006
【図６】
0005723269.tif 000007
【図７】
0005723269.tif 000008
【図８】
0005723269.tif 000009
【図９】
0005723269.tif 000010